(57)【要約】【課題】  立ち上り面を利用して保持具を縦横に配置することができることは勿論、植木鉢の大きさに合わせて安定状態で保持することができる植木鉢保持具を提供する。【解決手段】  植木鉢保持具１は、上方に拡径する植木鉢２の傾斜外周面を嵌合保持すべく環状の一部が切り離された開放部６を有する可撓性の金属棒で保持環４が形成され、この保持環４の開放部６から半径方向外方に延出する一対の延出部８ａ，８ｂ両端から下方に折曲形成した取付け部１０ａ，１０ｂが備えられ、この取付け部１０ａ，１０ｂには、立ち上り面２８に螺着する取り付けねじＢの挿通孔１２が穿設されて成り、上記植木鉢２を嵌合保持した際に拡径または縮径する保持環４に対応して上記両取付け部１０ａ，１０ｂ間の間隔Ｌが決められ、上記両取付け部１０ａ，１０ｂが間隔Ｌで立ち上り面２８に取り付けられるようになっている。【選択図】  図２
0003122456.tif 000002
【実用新案登録請求の範囲】
【請求項１】
建築物２６などの壁面２８やガードレールＧに取り付けられ截頭円錐形の植木鉢２を保持する植木鉢保持具１に於いて、
上記植木鉢保持具１は、上方に拡径する植木鉢２の傾斜外周面を嵌合保持すべく環状の一部が切り離された開放部６を有する可撓性の金属棒で保持環４が形成され、該保持環４の開放部６から半径方向外方に延出する一対の延出部８ａ，８ｂ両端から下方に折曲形成した取付け部１０ａ，１０ｂが備えられ、該取付け部１０ａ，１０ｂには、上記立ち上り面２８に螺着する取り付けねじＢの挿通孔１２が穿設されて成り、上記植木鉢２を嵌合保持した際に拡径または縮径する保持環４に対応して上記両取付け部１０ａ，１０ｂ間の間隔Ｌが決められ、上記両取付け部１０ａ，１０ｂが上記間隔Ｌで立ち上り面２８に取り付けられるようになっていることを特徴とする植木鉢保持具。
【請求項２】
上記植木鉢２は、太陽電池１５と、該太陽電池１５で発光する発光体１６と、光を検知する検出器２２と、上記太陽電池１５で発電される電力を蓄電する蓄電器とを備えていることを特徴とする請求項１に記載の植木鉢保持具。
【考案の詳細な説明】
【技術分野】
【０００１】
本考案は建築物などの壁面やガードレールに取付けられて植木鉢を保持する植木鉢保持具に関する。
【背景技術】
【０００２】
従来より、花を植える花鉢や観葉植物などを植える植木鉢は、地面や床面または雛壇型
支持台などの水平面上に置かれていたが、近年では省スペース化や鑑賞効果を得るためにフェンスや塀などの垂直な支持面や建具などの一部である支持体を利用して上下に配置されるようになっている。
【０００３】
このように、花鉢や植木鉢を上下に配置するためには、垂直な支持面や支持体の構造に対応して取付けられる保持具が必要となることから種々な保持具が提案されている。例えば、垂直な支持面や支持体として雨樋を利用した保持具が知られている（特許文献１参照）。
【０００４】
【特許文献１】実開平５−４３８３６号公報
【考案の開示】
【考案が解決しようとする課題】
【０００５】
すなわち、上記保持具は、雨樋の一部に嵌合抱持した開閉自在な２つの割り環体と、該割り環体の一方の外面にリベットなどの止軸を介して一体的に結合された植木鉢保持環とから構成されている。
【０００６】
そして、この植木鉢は、垂直な雨樋に取付けられた割り環体に結合されている植木鉢保持環内に上から嵌置されて宙架支持されるようになっており、複数個の植木鉢でも雨樋を利用して上下位置に宙架支持できるようになっている。
【０００７】
ところで、上記保持具は、雨樋を利用した保持具であることから、雨樋の構造によっては上記保持具の割り環体が使用できない場合があり、保持具の設置場所にしても雨樋がある場所に限られてしまうだけでなく複数の植木鉢が上下一列に配置されるだけで、横方向に配列することができないため鑑賞領域が限られてしまう難点を有していた。
【０００８】
本考案は、このような問題点に着目してなされたもので、立ち上り面を利用して保持具を縦横に配置することができることは勿論、植木鉢の大きさに合わせて安定状態で保持することができる植木鉢保持具を提供することを目的とする。
【課題を解決するための手段】
【０００９】
上記目的を解決するために、本考案の請求項１に記載の植木鉢保持具は、建築物２６などの壁面２８やガードレールＧに取り付けられ截頭円錐形の植木鉢２を保持する植木鉢保持具１に於いて、上記植木鉢保持具１は、上方に拡径する植木鉢２の傾斜外周面を嵌合保持すべく環状の一部が切り離された開放部６を有する可撓性の金属棒で保持環４が形成され、該保持環４の開放部６から半径方向外方に延出する一対の延出部８ａ，８ｂ両端から下方に折曲形成した取付け部１０ａ，１０ｂが備えられ、該取付け部１０ａ，１０ｂには、上記立ち上り面２８に螺着する取り付けねじＢの挿通孔１２が穿設されて成り、上記植木鉢２を嵌合保持した際に拡径または縮径する保持環４に対応して上記両取付け部１０ａ，１０ｂ間の間隔Ｌが決められ、上記両取付け部１０ａ，１０ｂが上記間隔Ｌで立ち上り面２８に取り付けられるようになっていることを特徴とする植木鉢保持具である。
上記の植木鉢保持具によれば、保持環４の内部に植木鉢２を嵌合保持した際に、截頭円錐形の植木鉢２の傾斜外周面に対応して拡径または縮径される上記保持環４の径に対応して両取付け部間の間隔Ｌが決められ、この間隔Ｌで上記保持環４の両取付け部１０ａ，１０ｂが立ち上り面２８に取り付けられる。
【００１０】
本考案の請求項２に記載の植木鉢保持具は、上記植木鉢２が、太陽電池１５と、該太陽電池１５で発光する発光体１６と、光を検知する検出器２２と、上記太陽電池１５で発電される電力を蓄電する蓄電器とを備えていることを特徴とする植木鉢保持具である。
上記の植木鉢保持具によれば、昼間は、植木鉢２の太陽電池１５で発電される電力が蓄電器で蓄電され、夜間では、光検出器２２による明暗の検出により昼間蓄電された電力で発光体１６が発光するので、植木鉢２に植えられた植木や花または造花が照明される。
【考案の効果】
【００１１】
本考案は以下の効果を奏する。
【００１２】
請求項１に記載の考案によれば、保持環の内部に挿入された植木鉢の径に対応させて上記保持環を拡径または縮径させでることができるので、径の異なる植木鉢を単一の保持環でも嵌合保持することができ、拡径または縮径された上記保持環の径に対応した間隔で両取付け部が立ち上り面に取り付けられ、立ち上り面の縦横に植木鉢を配置することができる。
【００１３】
請求項２に記載の考案によれば、発光体の発光により、立ち上り面に縦横に配置された植木鉢の植木又は花を夜でも鑑賞することができ、発光体の発光に太陽電池が使用されているので省エネ化を図ることができる。
【考案を実施するための最良の形態】
【００１４】
本考案の実施例を以下に説明する。
【実施例１】
【００１５】
図１および図２には、本考案の実施例１が示されている。図１は本考案に係る植木鉢保持具であって、植木鉢とこの植木鉢を嵌合保持する保持環の斜視図、図２は花が植えられた植木鉢を保持環に嵌合保持した状態を示す斜視図である。
【００１６】
図１、図２において、植木鉢保持具１は、截頭円錐形の植木鉢２の傾斜外周面を嵌合保持する保持環４であって、この保持環４は、ステンレスメッキされた可撓性を有する鉄製の金属棒で形成された環状の一部が切り離された開放部６を有し、当該開放部６から半径方向外方に延出する一対の延出部８ａ，８ｂの両端に略垂直下方に折曲形成した帯板状の取付け部１０ａ，１０ｂが備えられ、上記各取付け部１０ａ，１０ｂには、後述する立ち上り面に螺着する取り付けねじＢの挿通孔１２がそれぞれ上下に穿設されている。
【００１７】
そこで、保持環４の上から花Ｆを植えた植木鉢２（または花鉢）を挿入した際、この植木鉢２の傾斜外周面の径と保持環４の径が異なる場合は、植木鉢２の径に対応させて保持環４の径を拡径または縮径する。すなわち、植木鉢２の傾斜外周面の径が、保持環４の内径より大径の場合は、保持環４を拡径させた状態で挿入した際、金属棒の復帰弾力により植木鉢２の傾斜外周面が締め付けられて嵌合保持される。そこで、両取付け部１０ａ，１０ｂは、このとき形成される拡開された間隔で立ち上り面に取付けられる。
【００１８】
また、植木鉢２の傾斜外周面の径が、保持環４の内径より小径の場合は、保持環４を植木鉢２の傾斜外周面に略密着する位置まで弾力に抗して外方から押圧して縮径した状態とし、両取付け部１０ａ，１０ｂは、このとき形成される縮小された間隔Ｌで立ち上り面に取付けられる。
【００１９】
このようにして、保持環４は、内部に挿入された植木鉢２の径に対応させて上記保持環４を拡径または縮径させでることができるので、径の異なる植木鉢２を単一の保持環でも嵌合保持することができ、拡径または縮径された保持環４の径に対応した間隔で両取付け部が建築物等の立ち上り面となる垂直な外壁面に取り付けられ、外壁面の縦横に上記植木鉢２を好みのパターンで配置することができる。
【実施例２】
【００２０】
図３には、本考案の実施例２が示されている。図３は本考案の実施例２に係る植木鉢保持具であって、植木鉢に植えた植木や花などを照明する太陽電池及び発光体を設けた植木鉢の斜視図である。なお、上記実施例１と同一構成部分は同一符号を付して詳細な説明を省略する。
【００２１】
図３において、１４は実施例２に係る植木鉢保持具であって、この植木鉢保持具１４は、植木鉢２の傾斜外周面を嵌合保持すべく金属棒で形成された保持環４を有しており、この植木鉢２には、例えば4枚のソーラーパネルＳで構成される太陽電池１５と、この太陽電池１５で発光する発光体となる４個のランプ１６と、光を検知する光検出器２２と、上記太陽電池１５で発電される電力を蓄電する蓄電器（不図示）とを備えている。
【００２２】
詳しくは、上記太陽電池１５は、4枚のソーラーパネルＳを取付けた支持板２５と、この支持板２５の両端を支持すべく植木鉢２内の土に埋設立設した２本の支柱２４ａ，２４ｂとから構成されている。
【００２３】
上記４個のランプ１６は、植木鉢２の土内に埋設された板状リング２０の面上に略均等に配置したソケット１８に螺着して立設保持しており、昼間、太陽電池１５により発電された電力が蓄電器に充電され、夜間になって光検出器２２が働くと蓄電器に充電された電力により４個のランプ１６が点灯し、植木鉢に植えられた花が照明される。なお、植木鉢に植えられる花に代えて、植木や草花、または造花などを植えても良いことは勿論である。
【００２４】
これにより、４個のランプ１６の発光により、垂直壁面に縦横に配置された植木鉢２の植木又は花を、夜間でも鑑賞することができ、上記各ランプ１６の発光に太陽電池１５が使用されているので省エネ化を図ることができる。
【実施例３】
【００２５】
次に、立ち上り面に取付けられる植木鉢保持具の配置例に付き説明する。図４は実施例３に係る植木鉢保持具の配置例であって、建築物の立ち上り面に複数の保持環を縦横に配置した例を示す植木鉢保持具の配置図、図５は図４と同じく、建築物の立ち上り面に複数配置される保持環の変形配置例を示す植木鉢保持具の配置図であり、図６は建築物の垂直な外壁面に植木鉢を嵌合保持した状態の植木鉢保持具の側面図である。
【００２６】
図４において、２８は家屋などの建築物２６の立ち上り面となる垂直な外壁面であって、この外壁面２８には、複数の保持環４がそれぞれ水平に取付けられており、これら保持環４は、好みの配置となるように縦横に配置されている。
【００２７】
これら複数の植木鉢保持具１を好みの配置で外壁面２８に取付けるに際し、植木鉢２を保持環４に嵌合保持した際は上記植木鉢２の径に応じて上記保持環４が拡径または縮径され、これに対応して決められる間隔Ｌで取付け部１０ａ，１０ｂが取り付けねじＢを介して取付けられる。図６に示すように、外壁面２８には、複数の保持環４が好みの配置で水平に取りつけられ、これらの保持環４には、植木や花または造花を植えた植木鉢２が嵌合保持される。
【００２８】
図５には保持環を配置する変形例が示されており、建築物２６の垂直な外壁面２８には、保持環を配置する変形例として複数の保持環４が例えば星型に配置されている。なお、本変形例では、星型に配置した例に付き説明したが、この配置に限らず複数の保持環４を縦横に配置して好みのフラワーデザインを構築することが可能であり、外壁の美観が向上し鑑賞効果を得ることができる。
【００２９】
また、上記立ち上り面は、垂直壁面に限らず傾斜面でも良く、上下に傾斜する面では、保持環４が取付けられたときに水平になるよう取付け部１０ａ，１０ｂが傾斜面の角度に合わせた角度に折曲形成される。
【実施例４】
【００３０】
次に、植木鉢保持具をガードレールに取付けた例に付き説明する。図７〜図１１には、本考案の実施例４が示されている。図７は実施例４に係り、植木鉢保持具をガードレールの支柱に取付けた状態を示す一部断面を示す側面図、図８はガードレールの支柱に取付けられた保持環の取付け部を示す図７のＡ−Ａ断面図、図９はガードレールの支柱に取付けられた保持環の取付け部を示す平面図、図１０は保持環が取付けられる既存のガードレールの支柱上端部を示す斜視図であり、図１１は既存のガードレールの支柱上端部に保持環が取付けられた状態を示す斜視図である。なお、上記実施例１〜３と同一構成部分は同一符号を付して詳細な説明を省略する。
【００３１】
図７において、３０はガードレールＧを取付けるために鋼管で構成される既設の支柱であって、図１０に示されるように既設の支柱３０の上端開口部を閉塞するキャップＣＰに代えて保持環を取付けるための保持環取付けキャップ３２が挿嵌される。
【００３２】
図７〜図９に示すように、保持環取付けキャップ３２は、円柱体の上端外周に形成された段付き部により大径フランジ３２ａが形成されるとともに、下端部には水平面３４と垂直面３４ａからなる段差部が切欠き形成されている。
【００３３】
更に、保持環取付けキャップ３２には、その上端面から下端の水平面３４を上下に貫通する一対の貫通角孔３６ａ，３６ｂが形成されており、これらの貫通角孔３６ａ，３６ｂは、保持環４の取付け部１０ａ，１０ｂがそれぞれ挿通可能な短辺と長辺からなる横長形状であって、それぞれの短辺は、個々の取付け部１０ａ，１０ｂの板厚と略同一幅で、各長辺は、個々の取付け部１０ａ，１０ｂの横幅より幅広となるように形成されている。
【００３４】
また、上記貫通角孔３６ａ，３６ｂは、長辺となる一方の内壁面が垂直面３４ａと面一に形成されており、貫通角孔３６ａ，３６ｂを挿通した個々の取付け部１０ａ，１０ｂの下端が、下方の挿通孔１２を通した取り付けねじＢにより上記垂直面３４ａに止着されるようになっている。
【００３５】
そこで、保持環取付けキャップ３２の貫通角孔３６ａ，３６に、個々の取付け部１０ａ，１０ｂを挿通した状態で、植木鉢２の径に対応して保持環４を拡径または縮径させて植木鉢２を嵌合保持すると、上記取付け部１０ａ，１０ｂの間隔が決められる。
【００３６】
次に、下方の挿通孔１２を通した取り付けねじＢにより個々の取付け部１０ａ，１０ｂを垂直面３４ａに止着し、植木鉢２を取外した状態で保持環取付けキャップ３２をガードレールＧの支柱３０上端の開口部に装着する。
【００３７】
これにより、保持環４は、図１１に示されるように支柱３０上端の保持環取付けキャップ３２から水平に延出した状態で支持され、保持環４の内部に挿入することで植木鉢２の傾斜外周面が嵌合保持される。
【実施例５】
【００３８】
次に、植木鉢保持具をガードレールに取付けた別の実施例に付き説明する。図１２は実施例５に係り、植木鉢保持具をガードレールの支柱に取付ける状態を示す分解組立斜視図である。
【００３９】
図１２において、３８は、ガードレールＧの支柱３０に巻回して取付けられる締着具を示しており、この締着具３８は、可撓性を有する鋼鈑製の帯板を環状に形成して一部を切離した開閉可能な開口端を締め付けて支柱３０の外周に止着するバンド環４０であって、離間した開口端からそれぞれ外方に折曲し対向位置にねじ挿通孔を形成した一対の取付け片４４ａ，４４ｂと、該取付け片４４ａ，４４ｂと環状中心を挟んで対向位置に設けたコ字状に折曲した差込み部４２とから構成されている。
【００４０】
そこで、上記のように構成されたバンド環４０は、ガードレールＧの支柱３０に上部から差込んで取付け片４４ａ，４４ｂのねじ挿通孔を挿通した取り付けねじＢ１とナットＮにより支柱３０の外周に締め付けて止着することができる。バンド環４０が支柱３０に止着されると、外方に膨出した差込み部４２と上記支柱３０の外周との間に差込み空間が形成される。
【００４１】
この差込み部４２内の横幅Ｌｏは、上記保持環４の両取付け部１０ａ，１０ｂが拡開した状態で平面視における挿嵌可能な横幅と高さで形成されており、通常は上記保持環４の両取付け部１０ａ，１０ｂ間のフリーな状態の間隔Ｌより若干大きく形成されているが、支持される植木鉢２が嵌合保持される直径が小さく両取付け部１０ａ，１０ｂ間の間隔Ｌが狭くなる場合は、その間隔Ｌに対応した横幅Ｌｏとして各種長さ別の差込み部３８を形成したものとして用意されたバンド環４０が選択的に使用することができるようになっている。
【００４２】
このようにすることで、多数の人が集まる公共の公園や広場などの公道に沿って施設したガードレールなどの支柱に植木鉢保持具を着脱可能に取り付けることで、この植木鉢保持具に季節に応じた花や植木を生けた植木鉢を支持することで美観を持たせることができ、環境を向上させることができる。
【図面の簡単な説明】
【００４３】
【図１】本考案に係る植木鉢保持具であって、植木鉢とこの植木鉢を嵌合保持する保持環の斜視図である。
【図２】草花が植えられた植木鉢を保持環に嵌合保持した状態を示す斜視図である。
【図３】本考案の実施例２に係る植木鉢保持具であって、植木鉢に植えた植木や花または造花を照明する太陽電池及び発光体を設けた植木鉢の斜視図である。
【図４】実施例３に係る植木鉢保持具の配置例であって、建築物の立ち上り面に複数の保持環を縦横に配置した例を示す植木鉢保持具の配置図である。
【図５】図４と同じく、建築物の立ち上り面に複数配置される保持環の変形配置例を示す植木鉢保持具の配置図である。
【図６】建築物の垂直な外壁面に植木鉢を嵌合保持した状態の植木鉢保持具の側面図である。
【図７】実施例４に係り、植木鉢保持具をガードレールの支柱に取付けた状態を示す一部断面を示す側面図である。
【図８】ガードレールの支柱に取付けられた保持環の取付け部を示す図７のＡ−Ａ断面図である。
【図９】ガードレールの支柱に取付けられた保持環の取付け部を示す平面図である。
【図１０】保持環が取付けられる既存のガードレールの支柱上端部を示す斜視図である。
【図１１】既存のガードレールの支柱上端部に保持環が取付けられた状態を示す斜視図である。
【図１２】実施例５に係り、植木鉢保持具をガードレールの支柱に取付ける状態を示す分解組立斜視図である。
【符号の説明】
【００４４】
１                  植木鉢保持具
２                  植木鉢
４                  保持環
６                  開放部
８ａ，８ｂ          延出部
１０ａ，１０ｂ      取付け部
１２                挿通孔
１４                植木鉢保持具
１５                太陽電池
１６                ランプ（発光体）
１８                ソケット
２０                板状リング
２２                光検出器
２４ａ，２４ｂ      支柱
２５                支持板
２６                建築物
２８                外壁面（立ち上り面）
３０                支柱
３２                保持環取付けキャップ
３２ａ              大径フランジ
３４                水平面
３４ａ              垂直面
３６ａ，３６ｂ      貫通角孔
３８                締着具
４０                バンド環
４２                差込み部
４４ａ，４４ｂ      取付け片
ＣＰ                キャップ
Ｂ，Ｂ１            取り付けねじ
Ｆ                  花
Ｇ                  ガードレール
Ｌ                  間隔
Ｎ                  ナット
Ｓ                  ソーラーパネル
【図１】
0003122456.tif 000003
【図２】
0003122456.tif 000004
【図３】
0003122456.tif 000005
【図４】
0003122456.tif 000006
【図５】
0003122456.tif 000007
【図６】
0003122456.tif 000008
【図７】
0003122456.tif 000009
【図８】
0003122456.tif 000010
【図９】
0003122456.tif 000011
【図１０】
0003122456.tif 000012
【図１１】
0003122456.tif 000013
【図１２】
0003122456.tif 000014